(57)【要約】【課題】結合される２個の部品の正確なセンタリングを可能とする、バヨネット結合の組立部品を供給すること。【解決手段】第１取付部品１及び第２取付部品が、バイヨネット結合により連結可能で、第１取付部品にスリーブ部を形成し、第２取付部品にスリーブ部に挿入されるインサート部が形成され、インサート部は、複数のラジアル舌片を備え、スリーブ部は、内側スリーブ開口４と、ラジアル舌片に対応する複数の舌片用開口５が設けられている組立取付部品。ラジアル舌片の各々は、ラグを有し、このラグの、インサート部の中心からの外側径方向距離がほぼ円周上に位置し、内側スリーブ開口４の形状は、この円周の少なくとも一部分に一致していることを特徴とする。【選択図】図１
2004132551.tif 000002
【特許請求の範囲】
【請求項１】
　第１部材に取付けるために設けた第１取付部品（1）と、第２部材に取り付けるために設けた第２取付部品（10）とを含み、前記第１取付部品（1）及び第２取付部品（10）が、１つのバイヨネット結合により互いに連結可能であり、前記第１取付部品（1）にスリーブ部を形成し、第２取付部品に前記スリーブ部に挿入されるインサート部が形成されており、さらに、前記インサート部は、複数のラジアル舌片（12）を備え、前記スリーブ部（2）は、内側スリーブ開口（4）と、前記ラジアル舌片（12）に対応する複数の舌片用開口（5）が設けられている組立取付部品であって、
　前記ラジアル舌片（12）の各々は、少なくとも１つのラグ（13）を有し、このラグの、前記インサート部（14）の中心からの外側径方向距離がほぼ円周上に位置し、内側スリーブ開口（4）の形状は、この円周の少なくとも一部分に一致していることを特徴とする組立取付部品。
【請求項２】
　ラジアル舌片（12）の各々は、２つのラグ（13）を有し、このラグの、前記インサート部（14）の中心からの外側径方向距離がほぼ円周上に位置していることを特徴とする請求項１記載の組立取付部品。
【請求項３】
　内側スリーブ開口（4）の形状は、円形に収斂する、ほぼ螺旋形状または螺旋に関連した特性曲線に少なくとも部分的に一致していることを特徴とする請求項１または請求項２に記載の組立取付部品。
【請求項４】
　ラジアル舌片（12）の各々は、外側エッジ部分にラジアル溝（15）を有することを特徴とする請求項１〜３のいずれか１項に記載の組立取付部品。
【請求項５】
　スリーブ部（2）上に、解除レバー及びロッキングカムを備えた弾性ロック手段が、前記ラジアル舌片（12）のラジアル溝（15）内に嵌り込むように形成されることを特徴とする請求項４記載の組立取付部品。
【請求項６】
　連結状態のスリーブ部（2）とインサート部（11）は、第１取付部品（1）と第２取付部品（10）の間または第１部材と第２部材との間に、３つの軸に中心合わせされかつ固定される連結を形成することを特徴とする請求項１〜５のいずれか１項に記載の組立取付部品。
【請求項７】
　組立取付部品が、補助部品または中間部品と結合され、さらに、第１、第２の部材、更に隣接する部材を加えて連結されることを特徴とする請求項１〜６のいずれか１項に記載の組立取付部品。
【請求項８】
　請求項１〜７のいずれか１項に記載の組立取付部品を家具用品に取り付けることを特徴とする組立取付部品の使用方法。
【請求項９】
　テーブル脚をテーブルトップに取り付けることを特徴とする請求項８記載の組立取付部品の使用方法。
【発明の詳細な説明】
【技術分野】
【０００１】
　本発明は、請求項８による家具部品のアタッチメント用の分野で特に使用されるばかりでなく、請求項１の前文によるバイヨネット結合(bayonet coupling)の組立取付部品に関するものである。
【背景技術】
【０００２】
　組立取付部品は、多くの使用分野があり、異なる部品が工具を使用することなく最速で種々のその時々の説明書を参照して、必要とする関連ユニットに組み付けができるようにしなければならない。
【０００３】
　例えば、このような使用分野の一つは、レストランや会議室等であり、家具は短時間の間に何回も、頻繁に異なる客の数にしたがって組立てられなければならない。その時、短時間で更に多くのテーブルが組立てられなければならず、それらのテーブルは、しばしば場所の節約の理由から分解された状態でしまわれている。家具部品、特にテーブルの脚のようなアタッチメント用のバイヨネット結合のような、素早く組立てするシステムは既に知られている。一般的であり、特に、構造的に簡単な解決策は、しばしば欠点があるが、それらは正確性がなく、また、安定性がないことである。
【０００４】
　特許文献１によれば、テーブルトップにテーブル脚を取り付けるために、バイヨネット結合の組立部品が既に知られている。この組立部品は、脚取付部を含み、それはテーブルトップ取付けのためのアタッチメントを備えるテーブルトップの取付けばかりでなく、テーブル脚へのアタッチメントを備えている。脚取付部とテーブルトップ取付けは、互いにバイヨネット結合により結合されている。テーブルトップ取付部分には，スリーブ部が形成され、脚取付部には、インサート部が形成されている。
【０００５】
　インサート部には、４個のラジアル舌片が形成され、スリーブ部は中空室と開口を備え、開口はその形状が４個のインサート部のラジアル舌片に相応し、また、中空室内へインサート部のラジアル舌片を案内可能とする。中空室内のスリーブに関係するインサート部をねじることによって、インサート部とスリーブ部との間のバイヨネット結合が操作される。実質的に結合状態での安定性は、テーブルトップ取付部と脚取付部との間のかみ合い結合の作用による。スリーブ部へのインサート部の案内は円滑に行われなければならないが、それはセンタリング（中心合わせ）の正確さを最大にすることでのみ達成される。
【特許文献１】米国特許第6047648号
【発明の開示】
【発明が解決しようとする課題】
【０００６】
　そこで、本発明は、このような状況に鑑みて、１つの改良を行うものである。本発明の目的は、結合される２個の部品の正確なセンタリングを可能とする、バイヨネット結合の組立部品を供給することである。
【課題を解決するための手段】
【０００７】
　上記目的を達成するために、本発明は、第１部材に取付けるために設けた第１取付部品と、第２部材に取り付けるために設けた第２取付部品とを含み、前記第１取付部品及び第２取付部品が、１つのバイヨネット結合により互いに連結可能であり、前記第１取付部品にスリーブ部を形成し、第２取付部品に前記スリーブ部に挿入されるインサート部が形成されており、さらに、前記インサート部は、複数のラジアル舌片を備え、前記スリーブ部は、内側スリーブ開口と、前記ラジアル舌片に対応する複数の舌片用開口が設けられている組立取付部品であって、
　前記ラジアル舌片の各々は、少なくとも１つのラグを有し、このラグの、前記インサート部の中心からの外側径方向距離がほぼ円周上に配置され、内側スリーブ開口の形状は、この円周の少なくとも一部分に一致していることを特徴としている。
【０００８】
　また、本発明のアセンブリ取付部品の使用方法によれば、多くの応用の可能性がある。一般的に、異なる使用方法が考えられ、異なる時間で迅速に組立てを行い、正確にかつできるだけ早く、ツールを用いることなく決められた方向にかつ安定したユニットに組み立てることができるようにする必要がある。
【０００９】
　これらの使用方法には、例えば、展示用及びディスプレイの構成における組立、書棚の組立、障壁の取り付け等、家具部品の取り付け、テーブルトップへのテーブル脚の取り付け、キャンプ用家具の組立、輸送可能な市場スタンドの組立、表面要素等への支持体及び部品の組立が含まれる。
【００１０】
　さらに、全ての部品の数を最小限にする使用が可能である。
　家具部品の取り付け領域に起こる組合せの可能を考慮すると、本発明のアセンブリ取付部品は、補助部品と結合することができる。例えば、テーブルトップの分離点上に補助部品を互いに配置することにより、２つ以上のテーブルトップが単一のテーブル脚によって支持することもできる。
【発明の効果】
【００１１】
　この配置における利点は、特に、中心合せの正確さが改善されることである。さらに、このような構成により、インサート部は、第１取付部品の舌片開口が、十分な許容隙間を使うことが可能なので、スリーブ部の中空室内へ容易に挿入することができる。次に、スリーブ部に対してインサート部をねじることによって、インサート部のラジアル舌片がスリーブ部にかみ合うようになり、このねじり運動によって、インサート部はまた、上述したように中心部に寄る。
【００１２】
　さらに本発明の利点は、インサート部と同様に、スリーブ部が非常に平らであり、一部品として形成され、それゆえ、コスト効率もよい。
【００１３】
　１つの舌片に対して２つのラグを使うことにより、上記安定性は更に改善される。同様に、中心合せをより良くするために、内側スリーブ開口の形により、螺旋曲線の移行によって、ねじりが増加され、より良いセンタリングが達成される。
【００１４】
　さらに、ラジアル舌片は、ラジアル溝と弾性ロッキング手段を有するスリーブ部を備える外側エッジ上に備えられる。スリーブ部において、解除レバーがロッキングタペットに取り付けられ、それによって、ロッキングタペットは、ラジアル舌片のラジアル溝への組立部品の結合位置とかみ合い、ねじりに対して確保される。このように、簡単なやり方で、組立部品は意図されない開放に対して確保される。
【００１５】
　略三角形状の組立部品にスリーブ部を組み合わせた構造により、重量を軽くでき、かつ良好な組み立が達成される。第１取付部品及び第２取付部品は、各々の構成部材に対するスクリュウ結合によって取り付けることが可能であり、これにより、例えば、付加的あるいは必要に応じて、ねじりに対する保護が安定する。
【発明を実施するための最良の形態】
【００１６】
　図１は、スリーブ部２を備える第１取付部品１を示している。第１取付部品１は、図１に示すように、ほぼ平坦で略三角形のベースプレート３からなり、本質的に一部材で構成されている。ベースプレート３は、ほぼ円形のスリーブ開口４と、径方向外側に広がった３つの舌片開口５とを有する。ベースプレート３の領域は、形成された舌片開口６を含む領域と同一平面上になく、舌片開口は、折曲げによってその部分がベースプレート３の領域よりも高くなっており、その結果、一種の中空室６を形成している。
【００１７】
　第１取付部品１上に形成されたスリーブ部２の下側には、ベースプレート３の内側スリーブ開口４に形成される領域があり、この領域は、ベースプレート３を曲げ起こした領域で、舌片開口５と中空室６が形成される。第１取付部品１は、ロック手段(図示略)の取り付け用の孔８と、取付孔７を有する。
【００１８】
　図２は、インサート部１１を有する第２取付部品１０を示している。この第２取付部品１０は、ほぼ平らで丸い形状であり、径方向外側に伸びる３つの舌片１２を有する。第１取付部品１の舌片開口５は、大きな許容隙間を有し、舌片１２を有する第２取付部品は、スリーブ部２の中空室６内に容易に挿入することができる。
【００１９】
　このようなラジアル舌片１２の各々は、インサート部１１をスリーブ部２への挿入時、スリーブ部から離れて対面する舌片５の頂部側に配置されている。インサート部１１の中心１４から径方向外側に離れた位置にある２つのラグ１３は、円周上に配置される。好ましくは、このラジアル舌片１２は、ラジアル溝１５を備えており、この溝は、弾性ロック手段(図示略)のロッキングカム(図示略)を受け入れるように形成されている。弾性ロック手段により、アセンブリ取付部品は、意図しない形で外れることがないように、単純な方法で固定することができる。これは、従来公知の方法であるので、これ以上の説明を省略する。この種のロック手段は、単純な方法でロックを解除できるようにレバー手段が設けられている。
【００２０】
　スリーブ部２とインサート部１１によって形成されるバイヨネット結合により、第１取付部品１を第２取付部品１０に連結するために、第２取付部品１０のインサート部が、内側スリーブ開口４と舌片開口５によって形成される開口内に最初に挿入される。この挿入は、舌片開口５の許容隙間が大きいために、非常に容易である。次に、第２取付部品１０が、第１取付部品１に対してねじられる。この方法により、第２取付部品１０の舌片１２は、ベースプレート３の中空室６内にシフトしてはまり込む。即ち、ベースプレート３の部分は、内側スリーブ開口４の領域内にあることになる。同時に、第２取付部品１０のラグ１３の外側接触表面は、第１取付部品１の内側スリーブ開口４の接触表面と接触することになる。
【００２１】
　このように、第２取付部品１０に対する第１取付部品１の正確なセンタリングがなされる。ロックされるバイヨネット結合を用いて、第１取付部品１と第２取付部品１０の間で、３つの軸内に正確にセンタリングされかつ固定連結が得られる。
【００２２】
　円周上に配置される舌片に対する（少なくとも１つの）ラグ１３の、インサート部１４の中心から外側径方向距離と、内側スリーブ開口４の形状は、少なくとも部分的に、この円形に一致している。結合状態では、ラグ１３は、内側スリーブ開口４の円形状の位置にあり、これによりラグは、インサート部１１を保持しかつ中心合わせを行う。
【００２３】
　内側スリーブ開口４７の形状は、円形に収斂する、少なくとも部分的に螺旋形状又は螺旋に関連した曲線特性に一致させることができる。これにより、スリーブ部２上にインサート部１１を取り付けることの移行が更に容易になる。
【００２４】
　結論として、第１取付部品１及び第２取付部品１０の平坦な構造のおかげで、上述の取付部品を備える構成部品を重ね合わすことによって、本発明のアセンブリフィッティングの構造高さを非常に小さくすることができる。さらに、スペースの要求に関しても同様に有利なものとなる。
【図面の簡単な説明】
【００２５】
【図１】図１は、第１取付部品に形成されたスリーブ部を示す図である。
【図２】図２は、第２取付部品に形成されたインサート部を示す図である。
【符号の説明】
【００２６】
　１　　第１取付部品
　２　　スリーブ部
　３　　ベースプレート
　４　　内側スリーブ開口
　５　　舌片開口
　６　　中空室
　７　　取付孔
　８　　孔
　１０　第２取付部品
　１１　インサート部
　１２　舌片
　１３　ラグ
　１４　インサート部の中心
　１５　溝                                                                      
【図１】
2004132551.tif 000003
【図２】
2004132551.tif 000004